(57)【特許請求の範囲】
【請求項１】
テキスト情報を含む画面を投影する投影部と；
前記画面の投影距離を検出する距離検出部と；
前記距離検出部により検出された投影距離に応じて前記画面の情報量を制御する制御部と；
を備え、
前記制御部は、前記投影距離が長いほど、より多くの属性のテキスト情報が前記画面に含まれるよう制御する、投影装置。
【請求項２】
前記画面は、１または２以上のコンテンツデータのサムネイルを含み、
前記制御部は、前記投影距離に応じて前記画面に含まれる前記サムネイルの数を制御する、請求項１に記載の投影装置。
【請求項３】
前記制御部は、前記投影距離が第１の閾値を上回った場合に前記サムネイルを第１の数から第２の数に増加させ、前記投影距離が前記第１の閾値より小さい第２の閾値を下回った場合に前記サムネイルを前記第２の数から前記第１の数に減少させる、請求項２に記載の投影装置。
【請求項４】
前記投影装置は、
操作入力部と；
表示機能および操作検出機能を有する操作表示部と；
をさらに備え、
前記画面が前記投影部により投影されている場合には前記操作入力部がユーザ操作を受け付け、
前記画面が前記操作表示部に表示されている場合には前記操作表示部がユーザ操作を受け付ける、請求項１に記載の投影装置。
【請求項５】
前記操作表示部は、前記画面が前記投影部により投影される場合、前記操作入力部に対するユーザ操作を誘導する誘導画面を表示する、請求項４に記載の投影装置。
【請求項６】
前記制御部は、前記距離検出部による前記投影距離の検出が失敗した場合には前記画面の現在の情報量を変更しない、請求項１に記載の投影装置。
【請求項７】
前記投影装置は、撮像部をさらに備え、
前記距離検出部は、前記撮像部の焦点距離から前記画面の投影距離を検出する、請求項１に記載の投影装置。
【請求項８】
テキスト情報を含む画面を投影するステップと；
前記画面の投影距離を検出するステップと；
前記投影距離に応じて前記画面の情報量を制御するステップと；
を含み、
前記情報量を制御するステップは、前記投影距離が長いほど、より多くの属性のテキスト情報が前記画面に含まれるよう制御することを含む、投影制御方法。
【請求項９】
コンピュータを、
投影されるテキスト情報を含む画面の投影距離に応じて前記画面の情報量を制御する制御部であって、前記投影距離が長いほど、より多くの属性のテキスト情報が前記画面に含まれるよう制御する制御部、
として機能させるための、プログラム。
【発明の詳細な説明】
【技術分野】
【０００１】
本発明は、投影装置、投影制御方法、およびプログラムに関する。
【背景技術】
【０００２】
近日、小型プロジェクターを搭載した撮像装置が提案されている。この撮像装置によれば、撮像により取得したコンテンツをプロジェクターから投影できるので、表示装置を用いることなく大勢のユーザでコンテンツを観賞することが可能である（例えば、特許文献１参照）。
【０００３】
また、コンテンツのサムネイルを一覧表示するインデックス画面をプロジェクターから投影すれば、再生コンテンツを選択する課程も大勢のユーザで楽しむことができる。このようなユースケースにおいては、投影されるインデックス画面に、より多くのサムネイルが十分に視認できる大きさで含まれることが望まれる。
【先行技術文献】
【特許文献】
【０００４】
【特許文献１】特開２００８−２１１４０９号公報
【発明の概要】
【発明が解決しようとする課題】
【０００５】
この点に関し、投影時用のサムネイル枚数を設定しておき、インデックス画面を投影する場合には、サムネイルの配置枚数に設定済みの枚数を適用することも考えられる。しかし、インデックス画面におけるサムネイルの配置枚数を固定すると、以下の問題が生じる。
【０００６】
例えば、サムネイルの大きさは投影距離に比例するので、投影距離が短い場合にはサムネイルの視認性を確保することが困難である。一方、投影距離が長くなると、インデックス画面およびサムネイルが大きくなるので、サムネイルの視認性が向上するものの、サムネイルの表示枚数は増加しない。
【０００７】
また、サムネイルの配置枚数を手動で切り換える技術も存在するが、手動での切り替えはユーザにとって煩雑である。
【０００８】
そこで、本発明は、上記問題に鑑みてなされたものであり、本発明の目的とするところは、投影画面の情報量を自動的に切り換えることが可能な、新規かつ改良された投影装置、投影制御方法、およびプログラムを提供することにある。
【課題を解決するための手段】
【０００９】
上記課題を解決するために、本発明のある観点によれば、画面を投影する投影部と、前記画面の投影距離を検出する距離検出部と、前記距離検出部により検出された投影距離に応じて前記画面の情報量を制御する制御部と、を備える投影装置が提供される。
【００１０】
前記制御部は、前記投影距離が長いほど前記画面の情報量が多くなるように制御を行なってもよい。
【００１１】
前記制御部は、前記投影距離と前記情報量の事前に設定された関係に従って前記画面の情報量を制御してもよい。
【００１２】
前記画面は、１または２以上のコンテンツデータのサムネイルを含み、前記制御部は、前記投影距離に応じて前記画面に含まれる前記サムネイルの数を制御してもよい。
【００１３】
前記制御部は、前記投影距離が第１の閾値を上回った場合に前記サムネイルを第１の数から第２の数に増加させ、前記投影距離が前記第１の閾値より小さい第２の閾値を下回った場合に前記サムネイルを前記第２の数から前記第１の数に減少させてもよい。
【００１４】
前記投影装置は、操作入力部と、表示機能および操作検出機能を有する操作表示部と、をさらに備え、前記画面が前記投影部により投影されている場合には前記操作入力部がユーザ操作を受け付け、前記画面が前記操作表示部に表示されている場合には前記操作表示部がユーザ操作を受け付けてもよい。
【００１５】
前記操作表示部は、前記画面が前記投影部により投影される場合、前記操作入力部に対するユーザ操作を誘導する誘導画面を表示してもよい。
【００１６】
前記制御部は、前記距離検出部による前記投影距離の検出が失敗した場合には前記画面の現在の情報量を変更しなくてもよい。
【００１７】
前記画面はテキスト情報を含み、前記制御部は、前記投影距離に応じて前記画面に含まれる前記テキスト情報の情報量を制御してもよい。
【００１８】
前記投影装置は、撮像部をさらに備え、前記距離検出部は、前記撮像部の焦点距離から前記画面の投影距離を検出してもよい。
【００１９】
また、上記課題を解決するために、本発明の別の観点によれば、画面を投影するステップと、前記画面の投影距離を検出するステップと、前記投影距離に応じて前記画面の情報量を制御するステップと、を含む投影制御方法が提供される。
【００２０】
また、上記課題を解決するために、本発明の別の観点によれば、コンピュータを、投影される画面の投影距離に応じて前記画面の情報量を制御する制御部、として機能させるためのプログラムが提供される。
【発明の効果】
【００２１】
以上説明したように本発明によれば、投影画面の情報量を自動的に切り換えることが可能である。
【図面の簡単な説明】
【００２２】
【図１】本発明の実施形態による撮像装置の外観を示す斜視図である。
【図２】本発明の実施形態による撮像装置の外観を示す斜視図である。
【図３】プロジェクターモジュールの構成を示した説明図である。
【図４】撮像画面の具体例を示した説明図である。
【図５】インデックス画面の具体例を示した説明図である。
【図６】再生画面の具体例を示した説明図である。
【図７】本発明の第１の実施形態による撮像装置の構成を示したブロック図である。
【図８】距離センサにより検出される投影距離を示した説明図である。
【図９】投影距離とサムネイルの配置枚数との関係の具体例を示した説明図である。
【図１０】主制御部により生成されるインデックス画面の具体例を示した説明図である。
【図１１】主制御部により生成されるインデックス画面の具体例を示した説明図である。
【図１２】図１０に示したインデックス画面の投影中にタッチパネルに表示されるインデックス画面の一例を示した説明図である。
【図１３】サムネイルを選択するための第１の方法を示した説明図である。
【図１４】ユーザ操作を誘導する誘導画面の具体例を示した説明図である。
【図１５】サムネイルを選択するための第３の方法を示した説明図である。
【図１６】本発明の第１の実施形態による撮像装置の全体動作を示したフローチャートである。
【図１７】サムネイル枚数の変更処理の動作を示したフローチャートである。
【図１８】第２の実施形態によるインデックス画面の具体例を示した説明図である。
【図１９】第３の実施形態によるインデックス画面の具体例を示した説明図である。
【発明を実施するための形態】
【００２３】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２４】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００２５】
また、以下に示す項目順序に従って当該「発明を実施するための形態」を説明する。
１．本発明の実施形態による撮像装置の基本構成
２．第１の実施形態
２−１．撮像装置の構成
２−２．撮像装置の構成の変形例
２−３．撮像装置の動作
３．第２の実施形態
４．第３の実施形態
５．まとめ
【００２６】
＜１．本発明の実施形態による撮像装置の基本構成＞
本発明は、一例として「２．第１の実施形態」〜「４．第３の実施形態」において詳細に説明するように、多様な形態で実施され得る。また、投影装置の一例として各実施形態において説明する撮像装置（１）は、
Ａ：画面を投影する投影部（プロジェクターモジュール１８）と、
Ｂ：画面の投影距離を検出する距離検出部（距離センサ１６）と、
Ｃ：距離検出部により検出された投影距離に応じて画面の情報量を制御する制御部（１００）と、を備える。
【００２７】
以下では、まず、このような各実施形態において共通する基本構成について図１〜図６を参照して説明する。
【００２８】
図１および図２は、本発明の実施形態による撮像装置１の外観を示す斜視図である。図１に示したように、撮像装置１は、本体４、ヒンジ機構６、および開閉部８を備える。なお、図１および図２には投影装置の一例として撮像装置１（ビデオカメラ）を示しているが、投影装置はかかる例に限定されない。例えば、投影装置は、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔｓ）、家庭用ゲーム機器、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器などの情報処理装置であってもよい。
【００２９】
撮像装置１の本体４は、ズーム操作部２１と、マニュアル操作部２２と、静止画撮像操作部２３と、モード操作部２４と、投影切替操作部２５と、撮像光学系３１と、を備える。
【００３０】
撮像光学系３１は、被写体から発せられる光を集光する撮影レンズおよびズームレンズを備え、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの信号変換部に被写体像を形成する撮像部である。被写体像が信号変換部に形成されると、被写体像は信号変換部により電気的な画像信号に変換される。
【００３１】
ズーム操作部２１は、撮像光学系３１の焦点距離を変更するためのユーザ操作を受け付ける。ズーム操作部２１は、図１に示したように例えばワイド側またはテレ側に傾倒可能なレバーで構成される。この場合、撮像光学系３１は、当該レバーがワイド側に傾倒されると焦点距離を短くし（被写体像を縮小し）、当該レバーがテレ側に傾倒されると焦点距離を長くする（被写体像を拡大する。）。
【００３２】
マニュアル操作部２２は、撮像光学系３１の焦点を合わせるためのユーザ操作を受け付ける。マニュアル操作部２２は、図１に示したように例えば時計周り、または反時計周りに回転可能なダイヤルで構成される。この場合、撮像光学系３１は、当該ダイヤルの回転方向および回転量に応じて焦点位置を調整する。
【００３３】
静止画撮像操作部２３は、静止画を撮像するためのユーザ操作を受け付ける。静止画撮像操作部２３は、図１に示したように例えば押圧式のボタンで構成される。この場合、撮像装置１は、当該ボタンの押圧に応じて静止画を撮像することにより、静止画の画像データを取得する。
【００３４】
モード操作部２４は、撮像装置１の動作モードを切り替えるためのユーザ操作を受け付ける。ここで、撮像装置１の動作モードは、一例として撮影モードと再生モードとに大別される。また、モード操作部２４は、図１に示したように例えば押圧式のボタンで構成される。この場合、撮像装置１は、当該ボタンの押圧に応じて動作モードを撮影モードと再生モードとの間で切り換える。
【００３５】
なお、撮影モードは、撮像光学系３１および信号変換部などを動作させることにより被写体を撮像するための動作モードである。一方、再生モードは、例えば撮影モードにおいて取得された画像データを再生するための動作モードである。これら動作モードの詳細については図４〜図６を参照して後述する。
【００３６】
投影切替操作部２５は、撮像装置１により生成した画面をプロジェクターモジュール１８から投影するか否かを切り替えるためのユーザ操作を受け付ける。例えば、投影切替操作部２５は、図１に示したように例えば押圧式のボタンで構成される。この場合、撮像装置１は、当該ボタンの押圧に応じて画面をプロジェクターモジュール１８から投影するか否かを切り替える。なお、画面がプロジェクターモジュール１８から投影されている間、タッチパネル１２は、投影画面と同一の画面を表示してもよいし、投影画面と異なる画面を表示してもよいし、画面を非表示にしてもよい。
【００３７】
以上、撮像装置１の本体４の構成を説明した。続いて、本体４にヒンジ機構６を介して連結される開閉部８の構成を説明する。
【００３８】
開閉部８は、ヒンジ機構６により、図２に示した第１回転軸Ｌ１回り、および第１回転軸Ｌ１と直交する第２の回転軸Ｌ２回りに回転可能に本体４と連結されている。図１には、開閉部８が本体４に対して閉じられた状態を示しており、図２には、開閉部８が第１回転軸Ｌ１回りに回転することにより本体４に対して開かれた状態を示している。
【００３９】
このような開閉部８は、図１に示したように、一方の面に距離センサ１６およびプロジェクターモジュール１８を備え、図２に示したように、他方の面にタッチパネル１２を備える。
【００４０】
タッチパネル１２は、表示機能および操作検出機能を有する操作表示部の一例である。タッチパネル１２は、撮影モードにおいては撮像光学系３１により集光されている被写体の画像を表示し、再生モードにおいては後述のインデックス画面または再生画面などを表示することができる。また、ユーザは、タッチパネル１２を操作することにより撮像装置１に各種指示や情報を入力することも可能である。
【００４１】
距離センサ１６は、開閉部８においてプロジェクターモジュール１８と同一面上に、プロジェクターモジュール１８の投影方向と同一方向を向くように配置されている。このため、距離センサ１６は、プロジェクターモジュール１８と投影面との間の距離、すなわちプロジェクターモジュール１８による画像の投影距離を検出する距離検出部として機能する。なお、距離センサ１６による距離の測定方式は特に限定されない。例えば、距離センサ１６は、赤外線を利用して対象物との距離を検出する赤外線距離センサであってもよい。
【００４２】
プロジェクターモジュール１８は、撮像装置１により生成された画面を投影する投影部である。プロジェクターモジュール１８は、投影切替操作部２５に対するユーザ操作に応じ、例えば後述のインデックス画面または再生画面などを投影することができる。以下、図３を参照し、このプロジェクターモジュール１８の詳細な構成を説明する。
【００４３】
図３は、プロジェクターモジュール１８の構成を示した説明図である。図３に示したように、プロジェクターモジュール１８は、光源１８２と、光像表示部１８４と、投影レンズ１８６と、を備える。
【００４４】
光源１８２は、白色光を射出する白色ＬＥＤ（Ｌｉｇｈｔ  Ｅｍｉｔｔｉｎｇ  Ｄｉｏｄｅ）、および白色ＬＥＤからの射出光を拡散して光像表示部１８４に射出する光学系から構成される。なお、本実施形態においては光源１８２が白色ＬＥＤで構成される例に重きをおいて説明するが、光源１８２の構成はかかる例に限定されない。例えば、光源１８２は高圧水銀ランプで構成されてもよい。
【００４５】
光像表示部１８４は、投影するための画面を表示する液晶パネルである。光像表示部１８４に表示された画面は、光源１８２からの射出光により投影レンズ１８６に供給される。投影レンズ１８６は、光像表示部１８４に表示された画面を投影面に結像させる。
【００４６】
（撮影モードおよび再生モード）
以上、本発明の実施形態による撮像装置１の基本構成を説明した。続いて、撮像装置１の動作モードである撮影モードおよび再生モードについて説明する。
【００４７】
撮影モードは、撮像光学系３１および信号変換部などを動作させることにより被写体を撮像するための動作モードである。この撮影モードにおいては、図４に示すように、撮像光学系３１による被写体の撮像画面Ｒがタッチパネル１２に表示される。さらに、撮像画面Ｒが録画中である場合、撮像画面Ｒには図４に示したように録画マーク６２が付加される。
【００４８】
なお、撮影モードにおいてユーザにより静止画撮像操作部２４が押圧された場合、撮像装置１は、被写体の静止画を撮像して静止画の画像データを取得する。
【００４９】
そして、撮影モードにおいてユーザによりモード操作部２４が押圧されると、撮像装置１は動作モードを再生モードに切り替える。再生モードは、コンテンツデータを再生するための動作モードである。このため、撮像装置１は、再生モードへの切替後、再生対象のコンテンツデータをユーザが選択するためのインデックス画面Ｉを生成する。
【００５０】
図５は、インデックス画面Ｉの具体例を示した説明図である。図５に示したように、インデックス画面Ｉは、複数のコンテンツデータの各々に対応するサムネイルｓ１、ｓ２、ｓ３・・・を含む。なお、コンテンツデータは、撮像装置１が撮像により取得した画像データであってもよいし、外部から取得された画像データであってもよい。また、コンテンツデータのデータ種別は画像データに限定されず、コンテンツデータのデータ種別は、音声データ、ゲーム、またはソフトウェアなどであってもよい。また、各サムネイルｓは静止画であってもよいし、動画であってもよい。
【００５１】
また、インデックス画面Ｉは、上方スクロールボタン６４および下方スクロールボタン６６を含み、ユーザは、上方スクロールボタン６４または下方スクロールボタン６６を選択することにより、インデックス画面Ｉを任意の方向にスクロールすることができる。
【００５２】
また、ユーザは、インデックス画面Ｉにおいてカーソル６８を所望のサムネイルに合わせることにより、再生対象のコンテンツデータを選択することができる。そして、ユーザによりコンテンツデータの選択が決定されると、撮像装置１は、選択されたコンテンツデータの再生を開始し、当該コンテンツデータの再生画面を生成する。
【００５３】
図６は、コンテンツデータの再生画面Ｐの具体例を示した説明図である。図６に示したように、コンテンツデータの再生画面Ｐは、停止ボタン７１、巻き戻しボタン７２、再生／一時停止ボタン７３、早送りボタン７４、およびリターンボタン７６を含む。
【００５４】
撮像装置１は、ユーザにより停止ボタン７１、巻き戻しボタン７２、再生／一時停止ボタン７３、または早送りボタン７４が選択されると、選択されたボタンに応じてコンテンツデータの再生を制御する。例えば、撮像装置１は、ユーザにより停止ボタン７１が選択されると、コンテンツデータの再生を停止する。また、撮像装置１は、ユーザによりリターンボタン７６が選択されると、コンテンツデータの再生を停止し、インデックス画面Ｉを生成する。
【００５５】
なお、上記では撮影モードと再生モードの切替えがモード操作部２４へのユーザ操作に応じて行われる例を説明したが、モード切替えのトリガはかかる例に限定されない。例えば、撮像装置１は、撮像画面Ｒに再生モードへの切替用ボタンを付加し、再生モードへの切替用ボタンがユーザにより選択された場合に動作モードを再生モードに切り替えてもよい。同様に、撮像装置１は、インデックス画面Ｉや再生画面Ｐに撮影モードへの切替用ボタンを付加し、撮影モードへの切替用ボタンがユーザにより選択された場合に動作モードを撮影モードに切り替えてもよい。
【００５６】
また、インデックス画面Ｉの構成は図５に示した例に限定されない。例えば、インデックス画面Ｉは、画像データに関連する地図上の位置（例えば、撮像位置）に当該画像データのサムネイルが重畳された画面であってもよいし、画像データに関連する時間軸上の位置（例えば、撮像日時）に当該画像データのサムネイルが重畳された画面であってもよい。
【００５７】
また、撮像装置１は、再生モードにおいて、上記のインデックス画面Ｉや再生画面Ｐをタッチパネル１２に表示することも、プロジェクターモジュール１８から投影することも可能である。
【００５８】
（本発明の実施形態に至る経緯）
ここで、プロジェクターモジュール１８からインデックス画面Ｉを投影すれば、再生するコンテンツデータを選択する課程も大勢のユーザで楽しむことができる。このようなユースケースにおいては、投影されるインデックス画面に、例えば、より多くのサムネイルが十分に視認できる大きさで含まれることが望まれる。
【００５９】
この点に関し、投影時用のサムネイル枚数を設定しておき、インデックス画面Ｉを投影する場合には、サムネイルの配置枚数に設定済みの枚数を適用することも考えられる。しかし、インデックス画面におけるサムネイルの配置枚数を固定すると、以下の問題が生じる。
【００６０】
例えば、サムネイルの大きさは投影距離に比例するので、投影距離が短い場合にはサムネイルの視認性を確保することが困難である。一方、投影距離が長くなると、インデックス画面Ｉおよびサムネイルが大きくなるので、サムネイルの視認性が向上するものの、サムネイルの表示枚数は増加しない。また、サムネイルの配置枚数を手動で切り換える技術も存在するが、手動での切り替えはユーザにとって煩雑である。
【００６１】
そこで、上記事情を一着眼点にして本発明の実施形態を創作するに至った。本発明の各実施形態によれば、画面の投影距離に応じ、画面の情報量および視認性を自動的に制御することが可能である。以下、このような本発明の各実施形態について詳細に説明する。
【００６２】
＜２．第１の実施形態＞
〔２−１．撮像装置の構成〕
図７は、本発明の第１の実施形態による撮像装置１の構成を示したブロック図である。図７に示したように、本発明の第１の実施形態による撮像装置１は、制御部１０、撮影部３０および記録再生処理部４０を備える。
【００６３】
また、撮影部（撮像部）３０は、撮像光学系３１、光学系制御部３２、信号変換部３３、画像信号処理部３４、音声入力部３５および音声信号処理部３６を備える。
【００６４】
撮像光学系３１は、内部に、被写体を撮像するためのレンズ群、絞り調整機構、フォーカス調整機構、ズーム機構、シャッター機構、フラッシュ機構、および、手ぶれ補正機構などを備え、信号変換部３３に被写体像を形成する。
【００６５】
光学系制御部３２は、制御部１０からの制御信号を受けて、撮像光学系３１に供給する制御信号を生成する。そして、光学系制御部３２は、生成した制御信号を撮影光学系３１に供給し、ズーム制御、シャッター制御、および、露出制御などの制御を行う。
【００６６】
信号変換部３３は、上述したように例えばＣＣＤやＣＭＯＳなどの撮像素子により構成される。この信号変換部３３は、操作入力部２０に対するユーザ操作に基づいて制御部１０から画像取り込みタイミング信号が供給されると、撮像光学系３１により結像面に形成された被写体像を電気的な画像信号に変換し、画像信号処理部３４に供給する。なお、撮影モードにおいては制御部１０から画像取り込みタイミング信号が連続的に供給されるので、信号変換部３３は連続的に被写体像の画像信号の変換を行うことにより、複数フレームの画像信号を取得する。
【００６７】
画像信号処理部３４は、制御部１０からの制御信号に基づいて、画像信号についてのガンマ補正やＡＧＣ（Ａｕｔｏ  Ｇａｉｎ  Ｃｏｎｔｒｏｌ）などの処理を行うとともに、画像信号をデジタル形式に変換する処理も行う。
【００６８】
音声入力部３５は、撮影モード時に被写体周辺の音声を収集する。音声入力部３５は、収集した音声を電気的な音声信号に変換して音声信号処理部３６に供給する。音声信号処理部３６は、制御部１０からの制御信号に基づいて、音声信号についての補正やＡＧＣなどの処理を行うとともに、音声信号をデジタル形式に変換する処理も行う。
【００６９】
また、記録再生処理部４０は、図７に示したように、符号化／復号回路４１、ディスクインターフェース４２、記憶装置４４、出力処理部４５およびバッファメモリ４６を備え、再生部および記録部として機能する。
【００７０】
符号化／復号部４１は、撮影部３０から供給される画像信号および音声信号や、時刻情報などの追加記録情報をＭＰＥＧ方式等により符号化し多重化して、画像データおよび音声データを含む圧縮データに変換する符号化機能を有する。
【００７１】
一方、符号化／復号部４１は、圧縮データから画像データおよび音声データなどを分離し、画像データおよび音声データを画像信号および音声信号に復号する復号機能（再生機能）も有する。
【００７２】
また、符号化／復号部４１は、制御部１０からの制御信号に基づいて、画像信号処理部３４から供給される画像信号に対して、自動ホワイトバランス制御、露出補正制御、デジタルズーム倍率に応じた拡大制御などをさらに行う。
【００７３】
ディスクインターフェース４２は、符号化／復号部４１から供給された圧縮データを記憶装置４４に書き込む。また、ディスクインターフェース４２は、記憶装置４４から圧縮データを読み出して符号化／復号部４１に供給する。なお、記憶装置４４は、ＤＶＤ−Ｒ（Ｄｉｇｉｔａｌ  Ｖｅｒｓａｔｉｌｅ  Ｄｉｓｃ  Ｒｅｃｏｒｄａｂｌｅ）およびＢＤ（Ｂｌｕ−Ｒａｙ  Ｄｉｓｃ（登録商標））などの光ディスクであってもよい。
【００７４】
出力処理部４５は、システムバス１０９を介して主制御部１００により制御される。また、出力処理部４５は、符号化／復号部４１から供給される圧縮データを制御部１０や、編集装置２００に供給する。ここで、編集装置２００は、例えば、出力処理部４５が備える出力端子を介して撮像装置１と接続された情報処理装置であってもよい。ユーザは、この編集装置２００を用いて画像データや音声データなどの編集を行うことができる。
【００７５】
バッファメモリ４６は、例えばＳＤＲＡＭなどにより構成され、符号化／復号部４１における符号化または復号のための作業領域として利用される。
【００７６】
また、制御部１０は、図７に示したように、主制御部１００、ＲＯＭ（Ｒｅａｄ  Ｏｎｌｙ  Ｍｅｍｏｒｙ）１０１、ＲＡＭ（Ｒａｎｄｏｍ  Ａｃｃｅｓｓ  Ｍｅｍｏｒｙ）１０２、操作入力部２０やタッチパネル１２からの操作入力を受け付ける操作入力インターフェース１０３、タッチパネル１２を制御する表示制御部１０４、メモリカード１４を装填するメモリカードインターフェース１０５、撮影時刻の記録などに利用する時間情報を生成する時計回路１０６、距離センサ１６を制御するセンサ制御部１０７、およびプロジェクターモジュール１８を制御するプロジェクター制御部１０８が、システムバス１０９を介して接続されることにより構成される。
【００７７】
主制御部１００は、撮像装置１全体の処理を司る構成であり、作業領域としてＲＡＭ１０２を使用する。また、主制御部１００は、モード操作部２４に対するユーザ操作により指定される動作モードに応じた制御を行なう。
【００７８】
例えば、動作モードが撮像モードである場合、主制御部１００は、プロジェクター制御部１０８およびプロジェクターモジュール１８への電力供給を停止し、表示制御部１０４を介して、タッチパネル１２に画像信号処理部３４から供給される画像信号を表示させる。
【００７９】
また、動作モードが再生モードである場合、主制御部１００は、撮影部３０への電力供給を停止し、符号化／復号部４１から供給される画像データの再生信号またはサムネイルに基づいて再生画面Ｐまたはインデックス画面Ｉを生成し、表示制御部１０４を介してタッチパネル１２に再生画面Ｐまたはインデックス画面Ｉを表示させる。
【００８０】
ＲＯＭ１０１には、撮影部３０を制御するためのプログラムや、画像信号や音声信号の記録制御および再生制御などを実行するためのプログラムが書き込まれている。
【００８１】
操作入力インターフェース１０３は、接続される操作入力部２０およびタッチパネル１２からの操作信号を主制御部１００に伝える。なお、図１に示したズーム操作部２１、マニュアル操作部２２、静止画撮像操作部２３、モード操作部２４および投影切替操作部２５などを操作入力部２０と総称する。
【００８２】
表示制御部１０４は、画像信号処理部３４から供給される画像信号や、主制御部１００により生成された再生画面Ｐまたはインデックス画面Ｉなどをタッチパネル１２に表示する制御を行なう。
【００８３】
メモリカードインターフェース１０５は、符号化／復号回路４１から供給された圧縮データをメモリカード１４に書き込む。また、メモリカードインターフェース１０５は、メモリカード１４から圧縮データを読み出して符号化／復号回路４１に供給する。
【００８４】
時計回路１０６は、年、月、日、時間、分、秒などを表わす時間情報を生成する。
【００８５】
センサ制御部１０７は、距離センサ１６に投影面３との距離を検出させるための制御を行う。距離センサ１６は、センサ制御部１０７による制御に従い、距離センサ１６と投影面３との距離を検出する。ここで、距離センサ１６は、プロジェクターモジュールと同一面に同一方向を向いて設けられているので、距離センサ１６により検出される距離は、図８に示したように、投影面３およびプロジェクターモジュール８間の投影距離ｄと等価に扱われる。
【００８６】
プロジェクター制御部１０８は、プロジェクターモジュール１８から投影面３に画面を投影させるための制御を行なう。プロジェクター制御部１０８による制御に基づき、例えば再生画面Ｐまたはインデックス画面Ｉがプロジェクターモジュール１８から投影面３に投影される。
【００８７】
（インデックス画面Ｉにおけるサムネイル数の制御）
ここで、インデックス画面Ｉをプロジェクターモジュール１８から投影する場合、主制御部１００は、インデックス画面Ｉにおけるサムネイルの配置枚数を、距離センサ１６により検出された投影距離ｄに応じて制御する。例えば、主制御部１００は、投影距離ｄとサムネイルの配置枚数との事前に設定された関係に従ってインデックス画面Ｉに配置するサムネイル枚数を制御してもよい。
【００８８】
図９は、投影距離ｄとサムネイルの配置枚数との関係の具体例を示した説明図である。図９に示した例では、投影距離ｄ「１．０ｍ未満」はサムネイルの配置枚数「３×３」と関連付けられ、投影距離ｄ「１．０ｍ以上１．５ｍ未満」はサムネイルの配置枚数「４×４」と関連付けられ、投影距離ｄ「１．５ｍ以上２．０ｍ未満」はサムネイルの配置枚数「５×５」と関連付けられ、投影距離ｄ「２．０ｍ以上」はサムネイルの配置枚数「６×６」と関連付けられている。
【００８９】
主制御部１００は、例えば図９に示した関係に従い、投影距離ｄが長くなるほど、インデックス画面Ｉにおけるサムネイルの配置枚数を増加させる。以下、図１０および図１１を参照してより具体的に説明する。
【００９０】
図１０および図１１は、主制御部１００により生成されるインデックス画面Ｉの具体例を示した説明図である。図１０に示したように、投影距離ｄ１が０．９ｍである場合、主制御部１００は、図９に示した関係に従い、サムネイルが「３×３」で配置されたインデックス画面Ｉａを生成し、プロジェクターモジュール１８から投影させる。
【００９１】
一方、図１１に示したように、投影距離ｄ２が１．８ｍである場合、主制御部１００は、図９に示した関係に従い、サムネイルが「５×５」で配置されたインデックス画面Ｉｂを生成し、プロジェクターモジュール１８から投影させる。
【００９２】
図１１に示したように、インデックス画面Ｉｂは、インデックス画面Ｉａより多数のサムネイルを含むが、投影面３における表示サイズがインデックス画面Ｉａより大きいので、各サムネイルの視認性を確保することが可能である。
【００９３】
（投影中のタッチパネルの表示）
また、主制御部１００は、インデックス画面Ｉの投影中、タッチパネル１２の表示制御も行う。例えば、主制御部１００は、投影中のインデックス画面Ｉをタッチパネル１２にも表示させるための制御を行ってもよい。または、主制御部１００は、インデックス画面Ｉの投影中はタッチパネル１２を非表示状態にしてもよい。さらに、主制御部１００は、例えば図１２に示すように、投影中のインデックス画面Ｉと異なる画面をタッチパネル１２に表示させてもよい。
【００９４】
図１２は、図１０に示したインデックス画面Ｉａの投影中にタッチパネル１２に表示されるインデックス画面Ｉｃの一例を示した説明図である。図１２に示したように、タッチパネル１２に表示されるインデックス画面Ｉｃは、複数のサムネイルと、複数のサムネイルのうちで、投影中のインデックス画面Ｉａに含まれるサムネイルを示す矩形インジケーター６９を含む。
【００９５】
ユーザは、この矩形インジケーター６９を移動させることにより投影中のインデックス画面に含まれるサムネイルを変更することが可能である。例えば、矩形インジケーター６９がユーザにより移動された場合、主制御部１００は、移動後の矩形インジケーター６９の枠内のサムネイルを含むインデックス画面を生成してプロジェクターモジュール１８から投影させてもよい。
【００９６】
（投影中のユーザ操作）
投影中のインデックス画面Ｉをタッチパネル１２も表示させ、タッチパネル１２上でのユーザ操作により再生対象の画像データを選択することも考えられる。しかし、投影距離ｄの増加に伴いインデックス画面Ｉに含まれるサムネイル枚数が増加すると、タッチパネル１２における各サムネイルの表示サイズが小さくなるので、タッチパネル１２上でのサムネイルの選択操作が困難になる。
【００９７】
そこで、以下、インデックス画面Ｉの投影中にサムネイルを容易に選択するための第１〜第３方法を提案する。
【００９８】
・第１の方法
図１３は、サムネイルを選択するための第１の方法を示した説明図である。第１の方法においては、図１３に示したように、ズーム操作部２１および静止画撮像操作部２３に対するユーザ操作によりサムネイルが選択される。より詳細には、ズーム操作部２１がテレ側に傾倒されている間、カーソル６８は、図１３において矢印で示したように、左から右に移動し、最も右側のサムネイルに達した後は、次段の最も左側のサムネイルに移動する。
【００９９】
そして、静止画撮像操作部２３が押圧されると、押圧時にカーソル６８が合わせられていたサムネイルが選択され、主制御部１０により、当該サムネイルに対応するコンテンツデータの再生画面が生成される。
【０１００】
なお、タッチパネル１２は、インデックス画面Ｉの投影中、例えば図１４に示すようにズーム操作部２１および静止画撮像操作部２３に対する操作をユーザに誘導する画面を表示してもよい。
【０１０１】
また、ユーザは、開閉部８を第１回転軸Ｌ１回り、および第２の回転軸Ｌ２回りに回転させることにより、投影方向を調整することができる。しかし、この調整の際、ユーザは意図せずタッチパネル１２に触れてしまうことが想定される。このため、撮像装置１は、タッチパネル１２を画面の投影中はユーザ操作を受け付けない状態に設定してもよい。
【０１０２】
・第２の方法
第１の方法では、ズーム操作部２１および静止画撮像操作部２３を用いてサムネイルを選択する方法を説明したが、サムネイルの選択に用いる操作入力部２０はズーム操作部２１および静止画撮像操作部２３に限定されない。例えば、第２の方法として、マニュアル操作部２２に対する回転操作によりインデックス画面Ｉ内のサムネイルを選択することも可能である。
【０１０３】
・第３の方法
さらに、第１および第２の方法では、操作入力部２０を用いてサムネイルを選択する方法を説明したが、第３の方法として、タッチパネル１２に対する操作によりインデックス画面Ｉ内のサムネイルを選択することも可能である。
【０１０４】
図１５は、サムネイルを選択するための第３の方法を示した説明図である。第３の方法においては、インデックス画面Ｉの投影中に、タッチパネル１２が例えば図１５に示したサムネイルの選択用画面を表示する。この選択用画面は、上ボタン５１、下ボタン５２、左ボタン５３、右ボタン５４、およびＯＫボタン５６を含む。ユーザは、上ボタン５１、下ボタン５２、左ボタン５３、または右ボタン５４を押圧することによりインデックス画面Ｉにおいてカーソル３８を移動させ、ＯＫボタン５６を押圧することによりカーソル３８が合わされているサムネイルの選択を決定することができる。
【０１０５】
〔２−２．撮像装置の構成の変形例〕
（変形例１）
上記では、主制御部１００が、例えば図９に示した関係に従ってインデックス画面Ｉにおけるサムネイルの配置枚数を制御することを説明した。しかし、投影距離ｄが１．０ｍ、１．５ｍなどサムネイルの配置枚数を変更する境界値付近である場合、例えば距離センサ１６による距離検出のブレにより、サムネイルの配置枚数が頻繁に切り替えられることが懸念される。
【０１０６】
そこで、主制御部１００は、現在の投影距離ｄを含む範囲を上側または下側の少なくともいずれかに広げてもよい。例えば、主制御部１００は、投影距離ｄが１．１ｍである場合、「１．０ｍ以上１．５ｍ未満」という範囲を「０．９ｍ以上１．５ｍ未満」に広げてもよい。この場合、投影距離ｄが０．９ｍ未満になるとサムネイルの配置枚数が「４×４」から「３×３」に変更されるが、サムネイルの配置枚数が「４×４」に戻される閾値は１．０ｍである。このため、投影距離ｄが多少変動しても、０．９ｍと１．０ｍの間にはギャップがあるので、主制御部１００はサムネイルの配置枚数を「３×３」に維持することができる。
【０１０７】
すなわち、主制御部１００は、投影距離ｄが第１の閾値を上回った場合にサムネイルを第１の数から第２の数に増加させ、投影距離ｄが第１の閾値より小さい第２の閾値を下回った場合にサムネイルを第２の数から第１の数に減少させることにより、サムネイルの配置枚数が頻繁に切り替えられる場合を抑制することが可能である。
【０１０８】
（変形例２）
上記では、投影距離ｄを検出するための距離検出部として距離センサ１６を撮像装置１に設ける例を説明したが、距離検出部は距離センサ１６に限定されない。例えば、撮影部３０から供給される画像信号のピントが合っている場合の撮像光学系３１の焦点距離に基づき、被写体と撮像装置１との間の距離を推定することができる。ここで、撮像光学系３１とプロジェクターモジュールが同一方向を向いている場合、被写体と撮像装置１との間の距離は、投影距離ｄとほぼ等価に扱うことが可能である。
【０１０９】
そこで、主制御部１００は、撮影部３０から供給される画像信号のピントが合っているか否かを判断し、ピントが合っている場合、撮像光学系３１の焦点距離に基づいて投影距離ｄを確定してもよい。このように、撮像光学系３１および主制御部１００などが協働して距離検出部としての機能を担うことも可能である。
【０１１０】
〔２−３．撮像装置の動作〕
以上、本発明の第１の実施形態による撮像装置１の構成を説明した。次に、図１６および図１７を参照し、本発明の第１の実施形態による撮像装置１の動作を説明する。
【０１１１】
図１６は、本発明の第１の実施形態による撮像装置１の全体動作を示したフローチャートである。図１６に示したように、ユーザにより投影開始操作が行われると、主制御部１００は、インデックス画面Ｉにおけるサムネイル枚数をデフォルトに設定する（Ｓ２０４）。これは、後段のサムネイル枚数の変更処理の失敗に備えた処理である。その後、主制御部１００は、サムネイル枚数の変更処理を行い（Ｓ２０８）、ユーザ操作の受け付け状態を専用操作状態に切り替える（Ｓ２１２）。なお、専用操作状態は、「投影中のユーザ操作」として説明したように、例えば操作入力部２０に対するサムネイルの選択操作を受け付ける状態であってもよい。また、サムネイル枚数の変更処理の詳細については図１７を参照して後述する。
【０１１２】
続いて、主制御部１００は、プロジェクターモジュール１８に投影を開始させる（Ｓ２１６）。そして、主制御部１００は、ユーザにより投影終了操作が行われるまで（Ｓ２２０）、インデックス画面Ｉの投影中にサムネイル枚数の変更処理を適宜実行する（Ｓ２２４、Ｓ２２８）。ここで、撮像装置１は、サムネイル枚数の変更処理を特定の条件下でのみ行ってもよい。例えば、ユーザ操作中にサムネイル枚数が切り替えられると煩わしいので、ユーザ操作があった場合、一定時間が経過するまではサムネイル枚数の変更処理が行われないようにしてもよい。
【０１１３】
その後、プロジェクターモジュール１８による投影が終了すると（Ｓ２３２）、主制御部１００は、ユーザ操作の受け付け状態を通常操作状態に切り替える（Ｓ２３６）。なお、通常操作状態は、タッチパネル１２に対するユーザ操作を受け付ける状態であってもよい。
【０１１４】
図１７は、サムネイル枚数の変更処理の動作を示したフローチャートである。図１７に示したように、サムネイル枚数の変更処理においては、まず距離センサ１６が投影距離ｄの検出を試みる（Ｓ３１０）。そして、距離センサ１６による投影距離ｄの検出が成功した場合（Ｓ３２０）、主制御部１００は、例えば図９に示した投影距離ｄとサムネイル枚数との関係に従い、サムネイル枚数を決定する（Ｓ３３０）。ここで、Ｓ３２０において決定したサムネイル枚数が現在のサムネイル枚数と異なる場合（Ｓ３４０）、主制御部１００は、サムネイル枚数をＳ３３０において決定したサムネイル枚数に変更する（Ｓ３５０）。
【０１１５】
一方、距離センサ１６による投影距離ｄの検出が失敗した場合（Ｓ３２０）、または、Ｓ３２０において決定したサムネイル枚数と現在のサムネイル枚数が同一である場合（Ｓ３４０）、主制御部１００はサムネイル枚数を変更せず、現在のサムネイル枚数を維持する。
【０１１６】
＜３．第２の実施形態＞
次に、本発明の第２の実施形態を説明する。第１の実施形態では、インデックス画面Ｉが複数のサムネイルを含む例を説明したが、第２の実施形態では、テキスト情報からなるコンテンツデータの選択項目を含むインデックス画面Ｉを対象とする。
【０１１７】
この場合、主制御部１００は、投影距離ｄに応じてインデックス画面Ｉの選択項目数を制御する。例えば、主制御部１００は、第１の実施形態と同様の趣旨に基づき、投影距離ｄが長くなるほど、インデックス画面Ｉにおける選択項目数を増加させる。以下、図１８を参照してより具体的に説明する。
【０１１８】
図１８は、第２の実施形態によるインデックス画面Ｉの具体例を示した説明図である。図１８に示したように、４つの選択項目を含むインデックス画面Ｉｘが投影されている状態において、投影距離ｄが長くなると、主制御部１００は、選択項目を例えば８つに増加させてインデックス画面Ｉｘ’を生成する。さらに、主制御部１００は、図１８に示したように、各選択項目に「再生時間」を示す情報を追加してインデックス画面Ｉｘ’を生成してもよい。
【０１１９】
かかる構成により、テキスト情報からなる各選択項目の視認性を確保しつつ、インデックス画面Ｉからユーザに提供される情報量を制御することが可能となる。
【０１２０】
＜４．第３の実施形態＞
次に、本発明の第３の実施形態を説明する。第３の実施形態による主制御部１００は、投影距離ｄに応じてインデックス画面Ｉに配置する情報種別を制御する。例えば、主制御部１００は、第１の実施形態と同様の趣旨に基づき、投影距離ｄが長くなるほど、インデックス画面Ｉに配置する情報種別を増加させる。以下、図１９を参照してより具体的に説明する。
【０１２１】
図１９は、第３の実施形態によるインデックス画面Ｉの具体例を示した説明図である。図１９に示したように、９枚のサムネイルを含むインデックス画面Ｉｙが投影されている状態において、投影距離ｄが長くなると、主制御部１００は、サムネイル枚数は９枚に維持しつつ、各サムネイルに対応するテキスト情報を追加してインデックス画面Ｉｙ’を生成する。テキスト情報として、主制御部１００は図１９に示したように、各サムネイルに対応するコンテンツデータの撮像日時やタイトル名などを追加してもよい。
【０１２２】
かかる構成により、投影されるインデックス画面Ｉの視認性を確保しつつ、インデックス画面Ｉからユーザに提供される情報量を制御することが可能となる。
【０１２３】
＜５．まとめ＞
以上説明したように、本発明の第１の実施形態によれば、インデックス画面におけるサムネイル枚数が自動的に切替えられるので、ユーザの利便性を向上することができる。さらに、サムネイル枚数は投影距離に応じて決定されるので、インデックス画面における各サムネイルの視認性を確保することが可能である。
【０１２４】
また、画面が投影中であるか否かに応じてサムネイルの選択操作方法を切り替えることにより、投影されるインデックス画面に含まれるサムネイル枚数が増加しても操作性を維持することができる。ここで、画面の投影中には、例えば撮影時に用いられるズーム操作部２１や静止画撮像操作部２３などに対するユーザ操作を受け付けることにより、新たな操作デバイスの追加を回避できる。
【０１２５】
また、本発明の第２の実施形態や第３の実施形態として説明したように、インデックス画面Ｉに配置するテキスト情報を投影距離に応じて制御することも、インデックス画面Ｉに配置する情報種別を投影距離に応じて制御することも可能である。
【０１２６】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１２７】
例えば、本明細書の撮像装置１の処理における各ステップは、必ずしもフローチャートとして記載された順序に沿って時系列に処理する必要はない。例えば、撮像装置１の処理における各ステップは、フローチャートとして記載した順序と異なる順序で処理されても、並列的に処理されてもよい。
【０１２８】
また、撮像装置１に内蔵されるハードウェアを、上述した撮像装置１の各構成と同等の機能を発揮させるためのコンピュータプログラムも作成可能である。また、該コンピュータプログラムを記憶させた記憶媒体も提供される。
【符号の説明】
【０１２９】
１      撮像装置
４      本体
６      ヒンジ機構
８      開閉部
１２    タッチパネル
１０    制御部
１６    距離センサ
１８    プロジェクターモジュール
２０    操作入力部
２１    ズーム操作部
２２    マニュアル操作部
２３    静止画撮像操作部
２４    モード操作部
２５    投影切替操作部
３０    撮影部
３１    撮像光学系
４０    記録再生処理部
１００  主制御部
【図１】
0005707814.tif 000002
【図２】
0005707814.tif 000003
【図３】
0005707814.tif 000004
【図４】
0005707814.tif 000005
【図５】
0005707814.tif 000006
【図６】
0005707814.tif 000007
【図７】
0005707814.tif 000008
【図８】
0005707814.tif 000009
【図９】
0005707814.tif 000010
【図１０】
0005707814.tif 000011
【図１１】
0005707814.tif 000012
【図１２】
0005707814.tif 000013
【図１３】
0005707814.tif 000014
【図１４】
0005707814.tif 000015
【図１５】
0005707814.tif 000016
【図１６】
0005707814.tif 000017
【図１７】
0005707814.tif 000018
【図１８】
0005707814.tif 000019
【図１９】
0005707814.tif 000020